(57)【要約】【課題】容易に分割ミラーの位置調整をすることができ、分割ミラーの調整の煩わしさを低減できるレーザ治療装置を提供すること。【解決手段】レーザ光源からのレーザ光を患者眼に導光する導光光学系と、照明光源及び投光レンズを持つと共に、前記導光光学系により眼底に導光されるレーザ光の光路を挟んで分割されて配置された第１ミラーと第２ミラーとを持ち、該第１ミラーと第２ミラーにて前記投光レンズからの照明光を患者眼に向けて反射させる照明光学系と、前記第１ミラー又は第２ミラーを前記投光レンズの光軸方向へ個別に移動させるミラー移動機構と、該ミラー移動機構により移動したミラーの移動位置を固定する固定機構と、前記投光レンズをその光軸方向に移動させる移動機構と、を備える。【選択図】　　　図３
2004057742.tif 000002
【特許請求の範囲】
【請求項１】
レーザ光源からのレーザ光を患者眼に導光する導光光学系と、照明光源及び投光レンズを持つと共に、前記導光光学系により眼底に導光されるレーザ光の光路を挟んで分割されて配置された第１ミラーと第２ミラーとを持ち、該第１ミラーと第２ミラーにて前記投光レンズからの照明光を患者眼に向けて反射させる照明光学系と、前記第１ミラー又は第２ミラーを前記投光レンズの光軸方向へ個別に移動させるミラー移動機構と、該ミラー移動機構により移動したミラーの移動位置を固定する固定機構と、前記投光レンズをその光軸方向に移動させる移動機構と、を備えることを特徴とするレーザ治療装置。
【請求項２】
請求項１のレーザ治療装置において、前記ミラー移動機構は、手動操作で回転する回転部材と、該回転部材の回転により前記ミラーを前記投光レンズの光軸方向へ移動するようにガイドするガイド機構とを備え、前記固定機構は前記回転部材の回転を固定する機構であることを特徴とするレーザ治療装置。
【発明の詳細な説明】
【０００１】
【発明の属する技術分野】
本発明は、レーザ光源からの治療レーザ光を患部に照射して治療を行うレーザ治療装置に関する。
【０００２】
【従来技術】
眼底の光凝固を行うレーザ治療装置では、一般に、レーザ光源からのレーザ光を患者眼に導光する導光光学系を細隙灯顕微鏡（スリットランプ）に取り付けて使用している。このスリットランプを使用したレーザ治療装置においては、照明光源からの光を投光レンズで集光した照明光を、レーザ光の導光光路を挟んで上下に分割された分割ミラーで反射させて、患者眼に投光するものが知られている。分割ミラーで反射させて照明をするには、投光レンズで集光される照明光のうち、分割ミラーの上ミラーと下ミラーで反射されるそれぞれの光束の焦点位置が一致する様にミラーの位置及び角度を調整しなければならない。例えば、両ミラーで反射されるそれぞれの光束の焦点位置を調整するには、下ミラーで反射される光束の焦点位置が所定の位置になるように調整した後、上ミラーの位置を合わせている。
【０００３】
【発明が解決しようとする課題】
しかしながら、下ミラーの調整後、上ミラーの上下方向の位置調整をするためには、上ミラーを支える支基と支基を支える支柱の間にワッシャー等のスペーサを入れる等して高さ調整しなければならず、調整がしにくく、調整に時間がかかってしまうという問題があった。
また、装置の搬送中や何らかの原因により、分割ミラーで反射されるそれぞれの光束の焦点位置がずれてしまうと、分割ミラーを容易に調整することができなく、その調整が煩わしかった。
【０００４】
本発明は、上記従来装置の問題点に鑑み、容易に分割ミラーの位置調整をすることができ、分割ミラーの調整の煩わしさを低減できるレーザ治療装置を提供することを技術課題とする。
【０００５】
【課題を解決するための手段】
上記課題を解決するために、本発明は以下のような構成を備えることを特徴とする。
（１）　レーザ光源からのレーザ光を患者眼に導光する導光光学系と、照明光源及び投光レンズを持つと共に、前記導光光学系により眼底に導光されるレーザ光の光路を挟んで分割されて配置された第１ミラーと第２ミラーとを持ち、該第１ミラーと第２ミラーにて前記投光レンズからの照明光を患者眼に向けて反射させる照明光学系と、前記第１ミラー又は第２ミラーを前記投光レンズの光軸方向へ個別に移動させるミラー移動機構と、該ミラー移動機構により移動したミラーの移動位置を固定する固定機構と、前記投光レンズをその光軸方向に移動させる移動機構と、を備えることを特徴とする。
（２）　（１）のレーザ治療装置において、前記ミラー移動機構は、手動操作で回転する回転部材と、該回転部材の回転により前記ミラーを前記投光レンズの光軸方向へ移動するようにガイドするガイド機構とを備え、前記固定機構は前記回転部材の回転を固定する機構であることを特徴とする。
【０００６】
【発明の実施の形態】
本発明の実施の形態を図面に基づいて説明する。図１はレーザ光凝固装置の外観図を示した図である。
１はレーザ装置本体である。２はレーザの照射出力条件やエイミング光の出力等を設定入力するためのコントロール部、３はスリットランプデリバリであり、観察光学系が配置される双眼の顕微鏡ユニット４、後述する照射光学系３０が配置される照射ユニット５、照明光学系４０が配置される照明ユニット６を備える。７はスリットランプデリバリ３を移動させるためのジョイスティックである。
８はレーザ照射のトリガ信号を発信するためのフットスイッチである。
【０００７】
図２はレーザ光凝固装置の光学系を示した図である。１０は治療レーザ光源である。本形態では、１０６４ｎｍの基本波を発振するＮｄ：ＹＡＧ　レーザから、その２倍波（５３２ｎｍ　直線偏光）である緑色光を得るものを使用している。１１はエイミング用の半導体レーザであり、半導体レーザ１１は６３０ｎｍの赤色光を発するものを使用している。半導体レーザ１１から出射したレーザ光はコリメータレンズ１２を介した後、ダイクロイックミラー１３により治療レーザ光と同軸にされる。１４は集光レンズであり、各レーザ光を光ファイバ１５の入射端面１５ａに集光して入射させる。光ファイバ１５により導光された各レーザ光は、スリットランプデリバリ３の照射光学系３０まで導光される。
【０００８】
照射光学系３０は、コリメータレンズ３１、変倍レンズ３２、対物レンズ３３、駆動ミラー３４を備える。変倍レンズ３２は光軸方向に移動し、レーザ光（治療レーザ光及びエイミング光）のスポットサイズを変化させる。また、駆動ミラー３４は術者が図示無きマニュピレータを操作することによって自在に反射角度を変え、照射位置の微動変更ができる。
【０００９】
４０は照明光学系であり、照明光源４１より出射した可視光束はコンデンサレンズ４２を透過した後、可変円形アパーチャ４３により高さを、可変スリット板４４により幅を決定され、スリット状の光束に形成される。可変スリット板４４を通過した照明光はフィルタ４５、投光レンズ４６を介した後、下側に配置された第１の分割ミラー４８ａ及び上側に配置された第２の分割ミラー４８ｂで反射され、コンタクトレンズ４９を介して患者眼Ｅを照明する。４７は分割ミラー４８ｂで反射される照明光の光路長を補正する半円の補正レンズである。
【００１０】
図３及び図４に照明光学系４０の投光レンズ４６及び分割ミラー４８ａ、４８ｂ部分の構成を示す。図４は、患者側から見た正面図であり、図３はその側面図である。照明光学系４０の照明鏡筒１２０の上部には支基１２１が取り付けられている。支基１２１には分割ミラー４８ａを接着により取り付けているミラー取付板６１が取り付けられている。ミラー取付板６１は、押しネジ７１、引きネジ７２によってミラー取付部６１ａの角度を自在に変えることができる。
【００１１】
また、支基１２１には支柱６２、６３が取り付けられている。支柱６３は図５に示す様に、支基１２１にあけられた穴１２１ａに組み込まれたＰＴＦＥ製の滑り板６８、鋼鉄製の押さえ板６９によって支基１２１にネジ止めされ、回転可能に保持されている。支柱６３と支基１２１の嵌合部１２１ｂはガタの出ない様にはめ合わされている。支柱６３の内面には雌ネジ６３ａが切られている。雌ネジ６３ａには、上下支柱６５の雄ネジ６５ａがかみ合っている。また、支柱６３の内筒部６３ｂには、上下支柱６５の外筒部６５ｂがガタの出ない様にはめ合わされている。支柱６３の外周には、手動操作による回転を容易にするためのローレット６３ｄが形成されている。支柱６３を回すことにより、上下支柱６５が上下方向に移動し、分割ミラー４８ｂの高さが調整できる。
【００１２】
また、支柱６３の側面にも水平方向に雌ネジ６３ｃが切られており、セットビス６４がねじ込まれている。セットビス６４は上下支柱６５を支柱６３に固定し、分割ミラー４８ｂの高さを固定する場合にねじ込まれる。上下支柱６５の上部には、分割ミラー４８ｂを接着により取り付けているミラー取付板６６及び、支基６７がネジ止めされている。ミラー取付板６６は、支基６７に取り付けられた押しネジ７３、引きネジ７４によってミラー取付部６６ａの角度を自在に変えることができる。
【００１３】
また、図４に示す様に、支柱６２は支基１２１に雄ネジ６２ａによって固定されている。支柱６２の内筒部６２ｂには、上下支柱６８の外筒部６８ｂがガタの出ない様にはめ合わされ、上下支柱６８は支柱６２によって上下方向にスライド可能に支持されている。
【００１４】
図３に示す様に、分割ミラー４８ａで反射される光束の光軸方向の焦点位置を調整するために、投光レンズ４６は光軸方向に移動可能に構成されている。また、補正レンズ４７は、照明鏡筒１２０にレンズホルダ８１及びレンズ押さえ８２によって固定されている。また、投光レンズ４６は、レンズホルダ８３にレンズ押さえ８４によって固定されている。レンズホルダ８３の外周には雄ネジ８３ａが形成されており、その雄ネジ８３ａは照明鏡筒１２０内面に形成された雌ネジ１２０ａと噛み合っている。また、照明鏡筒１２０の内筒部１２０ｂには、レンズホルダ８３の外筒部８３ｂ、８３ｃがガタのない様にはめ合わされることにより、レンズホルダ８３が照明鏡筒１２０によって上下方向にスライド可能に支持されている。また、レンズホルダ８３の外周には、ローレット８３ｄが形成されており、照明鏡筒１２０にあけられた穴１２０ｃを通してローレット８３ｄによってレンズホルダ８３を指で回すことにより、レンズホルダの高さ、つまり、投光レンズ４６の高さが調整できる。
【００１５】
観察光学系５０は、左右の観察光路で共用される対物レンズ５１と、左右の各光路に配置された変倍レンズ５２、結像レンズ５３、正立プリズム５４、視野絞り５５、接眼レンズ５６、術者保護フィルタ５７を備える。
【００１６】
以上のような構成を備える装置において、その分割ミラー４８ａ、４８ｂによって反射される光束の焦点位置合わせの調整方法について説明する。まず、アジャスト棒と呼ばれる照明光源４１より出射した照明光の焦点位置を調整する調整治具をスリットランプデリバリ３の所定の位置に取付ける。
次に、分割ミラー４８ａについて調整するため、分割ミラー４８ｂは遮光しておく。レンズホルダ８３のローレット８３ｄを指で回すことにより投光レンズ４６を光軸方向に移動させて、分割ミラー４８ａで反射される照明光がアジャスト棒の焦点面上で焦点を結ぶように、光軸方向の焦点位置を調整する。次に、図５に示すミラー取付板６１に取付けられた押しネジ７１、引きネジ７２を回すことによって、分割ミラー４８ａの角度を変え、アジャスト棒の焦点面上に設けられた所定の焦点位置に合うように調整する。
【００１７】
次に、分割ミラー４８ｂについて調整するため、分割ミラー４８ｂの遮光を取り去り、分割ミラー４８ａを遮光する。支柱６３のローレット６３ｄを回して、分割ミラー４８ｂの高さを調整する。支柱６３を回転させると、支柱６３の雌ネジ６３ａと上下支柱６５の雄ネジ６５ａの噛合わせにより、上下支柱６５が上下移動する。照明光がアジャスト棒の焦点面上で焦点を結ぶように、分割ミラー４８ｂの高さを調整する。分割ミラー４８ｂの高さが調整できたら、セットビス６４を締めて、上下支柱６５を支柱６３に固定し、分割ミラー４８ｂの高さを固定する。
【００１８】
次に、支基６７に取り付けられた押しネジ７３、引きネジ７４を回すことによって、分割ミラー４８ｂの角度をアジャスト棒の焦点面上に設けられた所定の焦点位置に合うように調整する。
【００１９】
【発明の効果】
以上説明したように、本発明によれば、容易に分割ミラーの位置調整をすることができ、分割ミラーの調整の煩わしさを低減できる。
【図面の簡単な説明】
【図１】装置の外観を示す図である。
【図２】装置の光学系を示す図である。
【図３】分割ミラー部を示す図である。
【図４】分割ミラー部を示す図である。
【図５】分割ミラー部の機構を示す図である。
【符号の説明】
１　レーザ装置本体
３　スリットランプデリバリ
１０　治療レーザ光源
１５　光ファイバ
３０　照射光学系
４０　照明光学系
４１　照明光源
４６　投光レンズ
４８ａ，４８ｂ　分割ミラー
６３　支柱
６３ａ　雌ネジ
６４　セットビス
６５　上下支柱
６５ａ　雄ネジ
６６　ミラー取付板
８３　レンズホルダ
８３ａ　雄ネジ
１２０　照明鏡筒
１２０ａ　雌ネジ
【図１】
2004057742.tif 000003
【図２】
2004057742.tif 000004
【図３】
2004057742.tif 000005
【図４】
2004057742.tif 000006
【図５】
2004057742.tif 000007